(57)【特許請求の範囲】
【請求項１】
ルーバーの両端にキャップを嵌着し、両キャップの端面には、ルーバーの開閉の中心となる回転軸と、開閉の力点となる駆動軸とを並列に突設してあって、そのルーバーが配列されるガラリーの左右竪框に、可動杆が嵌まる摺動溝を室内側開口に形成し、その摺動溝の内側片にルーバーの回転軸が支承される切欠部を、可動杆にはその内側片と接合する摺動片に駆動軸が係合する切欠部を、互いに対向方向にして設けたことを特徴とするルーバーの開閉装置。
【請求項２】
ルーバーの配列の室内側に防虫網を張設したことを特徴とする請求項１記載のルーバーの開閉装置。
【発明の詳細な説明】
【０００１】
【発明の属する技術分野】
この発明は、換気に用いられるガラリーにおけるルーバーの開閉装置に関する。
【０００２】
【従来の技術】
従来、ルーバーの開閉装置は、ガラリーの左右両端にルーバーを支承する固定部材と、ルーバーを駆動する可動杆とを平行に設けたもので、ルーバーの支承については、固定部材に回転軸を通す軸孔が穿設される。また、回転軸にはレバーが一体に突設され、その先端部が可動杆に框着され、従って、可動杆にも框着孔が穿設される。
【０００３】
さらに、レバー付きの回転軸の取付けについては、ルーバーにスクリューポケットを形成し、回転軸に取付ビスの通し孔を設け、そのビスによって、ルーバーに回転軸が固着される。また、可動杆に対するレバーの框着に框着ピンとしてビスが用いられていた。
【０００４】
【発明が解決しようとする課題】
上記のような従来のルーバーの開閉装置によれば、ビスを多用するために、組立てに非常に手数が掛かり、また、回転軸がビスを通す筒形となって太いために、ルーバーの開閉に抵抗が大きく、手動が重くなるという欠点があった。また、可動杆がレバーを介して回転軸と共にルーバーを開閉するため、その間に運動の伝達に円滑性を欠くという問題もあった。
【０００５】
この発明は、上記のような実情に鑑みて、組立てが簡単であり、しかもルーバーを軽快に開閉できるルーバーの開閉装置を提供することを目的とした。
【０００６】
【課題を解決するための手段】
上記の目的を達成するために、この発明は、ルーバーの両端にキャップを嵌着し、両キャップの端面には、ルーバーの開閉の中心となる回転軸と、開閉の力点となる駆動軸とを並列に突設してあって、そのルーバーが配列されるガラリーの左右竪框に、可動杆が嵌まる摺動溝を室内側開口に形成し、その摺動溝の内側片にルーバーの回転軸が支承される切欠部を、可動杆にはその内側片と接合する摺動片に駆動軸が係合する切欠部を、互いに対向方向にして設けたルーバーの開閉装置を構成した。
【０００７】
上記の構成によれば、竪框の摺動溝に可動杆を組み込む際に、竪框の切欠部にルーバーの回転軸を、可動杆の切欠部に駆動軸を入れると、組み立てによって、回転軸が可動杆の突条により脱出不能に止められ、駆動軸が竪框によって脱出不能に止められるため、ルーバーの取付けにはビスを使用する必要がない。
【０００８】
また、切欠部によるこのような支承形成から、回転軸が細くなり、また、駆動軸もルーバーに突設され、開閉にレバーを使用しない直接的な駆動となるために、開閉に抵抗が少なく、しかも、竪框に可動杆が一体的に組み付けられることもあって、運動にがたつきも生じない。
【０００９】
【発明の実施の形態】
この発明において、ルーバーの開閉装置は、実施例に示すような二つ折りのドアばかりでなく、一枚ドア、引違い障子、欄間、空気取入口、空気吹出口等においても実施できる。
【００１０】
また、防虫網６の有無は、特に問うものではないが、防虫網６を内側に張設してあると（請求項２）、外側から見えないので、体裁が良好である。また、夏期において、換気のために網戸だけであると、防犯上無用心であり、防虫のためにルーバーを閉めてあると、換気が悪くなり暗くなるという不都合があったが、このような問題が解決される。
【００１１】
なお、この明細書において、可動杆５とは、摘みやハンドル等の何らかの手段によって、上下動できるようになされているものとする。
【００１２】
【発明の効果】
以上説明したように、この発明によれば、竪框と可動杆とにそれぞれ切欠部を設け、その両方の部材を組み合わせるだけで、ルーバーの取付けをなすことができるため、ビスを用いる必要がなく、ガラリーの組立ての作業性が極めて良好となる。また、ルーバーには、回転軸ばかりでなく、駆動軸を突設し、言わば直接駆動の二軸方式であり、しかも、竪框に可動杆が組み合う安定した摺動方式となるため、ニ軸を細くできることもあって、ルーバーを抵抗なく軽快に開閉できるという優れた効果がある。
【００１３】
【実施例】
次に、この発明の実施例を図面に基づいて説明する。
【００１４】
図面は、二つ折りに開くようにした玄関の出入口のアルミサッシのドアＤに実施した一例を示したもので、そのドアＤは、中桟１の上下にそれぞれガラリーＧを嵌め込み、各ガラリーＧにルーバー２を配列する他、防虫網６が装着される。
【００１５】
ガラリーＧは、図２に示すように竪框３と横框４とにより枠組みされ、そのうち、左右竪框３、３にルーバー２を開閉可能に支承し、その竪框３、３にルーバー２を駆動する可動杆５、５が組み付けられる。同図において、７が枠組みの連結部材、９が可動杆５の組み付けのために竪框３に固着される付属ガイドであって、これは、防虫網６の取付け兼用ともなっている。
【００１６】
左右竪框３、３は、ウェーブ１１を中央部で段差形状に形成し、室外側半部に可動杆５の摺動溝１３を、室内側半部に防虫網６の取付溝１４を設けてある。また、摺動溝１３は、ウェーブ１１を一側として室内側開口に形成し、他側の内側片１５を短かく形成してある。そして、その内側片１５にルーバー２を支承する切欠部１７、１７・・が配設される。
【００１７】
可動杆５は、摺動溝１３に向かい合わせに嵌め込むチャンネル形であって、一側に摺動溝１３の内側片１５の先端部側面に突条１８を介して接合する摺動片１６を形成することにより、その側面に対して突条１８分だけ僅かに間隙が設けられる。そして、この一側にルーバー２が係合する切欠部１９、１９・・を配設し、それらが突条１８の位置よりも深く形成される。
【００１８】
ルーバー２は、両端にキャップ２１、２１を嵌着したもので、キャップ２１をプラスチックで成形することにより、それに回転軸２２と駆動軸２３とを突設し、駆動軸２３にロッドを用い、インサート成形により一体化される。なお、両軸２２、２３は頭部付きとなっている。
【００１９】
図３は、ガラリーＧを組み立てる際におけるルーバー２の取付け要領を示したもので、その回転軸２２を竪框３の切欠部１７に、駆動軸２３を可動杆５の切欠部１９に差し入れながら、竪框３の摺動溝１３に可動杆５が嵌め込まれる（図４）。これで、回転軸２２の頭部が可動杆５の突条１８に支えるために、また、駆動軸２３が竪框３の側縁に支えるために、それぞれ脱出不能となる。この状態を保持する手段として、ガイド９がその爪２５を抜孔２７に掛止することにより取り付けられる（図６）。また、ガイド９に当てて防虫網６の付子２９が固定される。
【００２０】
このルーバー２の取付け状態において、可動杆５が上がっているときには（図５）、ルーバー２が閉じており、下がっているときには（図４）、回転軸２２に対して駆動軸２３が下がることによってルーバー２が開く。このように可動杆５を上下する機構がドアＤに内装され、そのドア竪框３１に摘み３３が設けられている（図１）。
【図面の簡単な説明】
【図１】  この発明を実施したドアを防虫網が欠除された状態で示す正面図である。
【図２】  この発明に係るガラリーの一部分解斜視図である。
【図３】  ルーバーの取付け要領で示す同ガラリーの要部分解斜視図である。
【図４】  ルーバーの開いた状態で示す同ガラリーの一部縦断面図である。
【図５】  この発明を実施した玄関ドアの一部縦断面図である。
【図６】  同ドアの一部横断面図である。
【符号の説明】
Ｇ  ガラリー
２  ルーバー
３  竪框
５  可動杆
６  防虫網
１３  摺動溝
１５  内側片
１６  摺動片
１７  切欠部
１８  突条
１９  切欠部
２２  回転軸
２３  駆動軸
【図１】
0003649431.tif 000002
【図５】
0003649431.tif 000003
【図６】
0003649431.tif 000004
【図２】
0003649431.tif 000005
【図３】
0003649431.tif 000006
【図４】
0003649431.tif 000007